(57)【要約】【課題】良質な押えコンクリートを簡便に形成できる遮水側壁構造物、底版・側壁構造物及び遮水側壁構築方法を提供する。【解決手段】遮水側壁構造物は、側壁躯体７と、その内面に張られた側壁遮水工層１５と、これを保護する側壁押えコンクリート９と、側壁押えコンクリート９を覆うようにして左右方向に複数列をなして配置された複数のプレキャストコンクリート板１７と、その各隣り合う列の間に配置されたＨ型鋼柱１８とを備える。各Ｈ型鋼柱１８の一方のフランジ部２０は、側壁押えコンクリート９の内部に埋設され、他方のフランジ部２１の内面は、対応するプレキャストコンクリート板１７の側壁遮水工層１５と反対側の面に当接している。【選択図】図１
2020195980.tif 000002
【特許請求の範囲】
【請求項１】
側壁躯体と、該側壁躯体の内面に張られた側壁遮水工層と、該側壁遮水工層を保護する押えコンクリートとを備える遮水側壁構造物であって、
前記押えコンクリートの前記側壁遮水工層と反対側を覆うようにして左右方向に複数列をなして配置された複数のプレキャストコンクリート板と、
前記プレキャストコンクリート板の各隣り合う列の間に配置されたＨ型鋼柱とを備え、
各Ｈ型鋼柱の一方のフランジ部は、前記押えコンクリートの内部に埋設され、他方のフランジ部の内面は、対応する前記プレキャストコンクリート板の左右方向の一方の端縁部における前記側壁遮水工層と反対側の面に当接していることを特徴とする遮水側壁構造物。
【請求項２】
廃棄物処分場の遮水工が施された底版及び側壁を構成する底版・側壁構造物であって、
前記底版の下側の鉄筋コンクリート部分である下側ＲＣ部分及び前記側壁の外側の鉄筋コンクリート部分である側壁躯体を一体的に構成する第１部分と、
前記底版の上側の鉄筋コンクリート部分である上側ＲＣ部分及び前記側壁の内側の押えコンクリートを一体的に構成する第２部分と、
前記下側ＲＣ部分と前記上側ＲＣ部分との間に設けられた底版遮水工層と、
前記側壁躯体と前記押えコンクリートとの間に設けられた側壁遮水工層とを備え、
前記押えコンクリートの前記側壁遮水工層と反対側の面には、該面を覆うようにして左右方向に複数列をなす複数のプレキャストコンクリート板が配置され、
前記プレキャストコンクリート板の各隣り合う列の間には、Ｈ型鋼柱が配置され、
各Ｈ型鋼柱の一方のフランジ部は、前記押えコンクリートの内部に埋設され、他方のフランジ部の内面は、対応する前記プレキャストコンクリート板の左右方向の一方の端縁部における前記側壁遮水工層と反対側の面に当接していることを特徴とする底版・側壁構造物。
【請求項３】
前記複数のＨ型鋼柱の下端部は、それぞれ、前記第２部分内に埋め込まれた定着板によって支持されて根巻きコンクリートで固定され、上端部は、前記側壁躯体に固定されることを特徴とする請求項２に記載の底版・側壁構造物。
【請求項４】
前記Ｈ型鋼柱の一方のフランジ部には、その前記側壁遮水工層側の面から前記押えコンクリート内に突出したシアコネクタが設けられることを特徴とする請求項１〜３いずれかに記載の構造物。
【請求項５】
側壁躯体と、該側壁躯体の内側に設けられた側壁遮水工層と、該側壁遮水工層を保護する押えコンクリートとを備える遮水側壁を構築する方法であって、
前記側壁躯体の内側に、上下方向に所定の寸法毎に分割された側壁遮水工層の分割部分のうちの１つを接着する分割部分接着工程と、
前記側壁躯体から所定距離離れた位置において該側壁躯体に沿って複数のＨ型鋼柱を、そのフランジ面が該側壁躯体に沿った姿勢で所定間隔で立設するＨ型鋼柱立設工程と、
前記押えコンクリート用の配筋を行う配筋工程と、
前記分割部分接着工程で接着された前記分割部分に対応する上下方向の寸法及び前記所定間隔に対応する左右方向の寸法を有するプレキャストコンクリート板を各隣り合う前記Ｈ型鋼柱の間の該分割部分に対応する上下位置に、該プレキャストコンクリート板の左右の端縁部の該分割部分と反対側の面が該Ｈ型鋼柱の該分割部分と反対側のフランジ部の内側の面に当接するようにして配置するプレキャスト配置工程と、
前記分割部分接着工程で接着された前記分割部分の上端縁を除く部分と、前記プレキャスト配置工程で配置された前記プレキャストコンクリート板との間にコンクリートを打設することにより、前記押えコンクリートの該分割部分に対応する部分を形成する押え部分形成工程と、
前記分割部分接着工程を前記側壁躯体の下部の内側に前記分割部分のうちの１つを接着することにより前記分割部分接着工程を行う分割部分接着初期工程と、
前記分割部分接着初期工程、前記Ｈ型鋼柱立設工程、前記配筋工程、前記プレキャスト配置工程及び前記押え部分形成工程を行った後、前記分割部分接着工程、該プレキャスト配置工程及び該押え部分形成工程を、前記押えコンクリートが所定の高さで形成されるまで繰り返すことを特徴とする遮水側壁構築方法。
【発明の詳細な説明】
【技術分野】
【０００１】
本発明は、廃棄物を埋立処分するための最終処分場の建設に適した遮水側壁構造物、底版・側壁構造物及び遮水側壁構築方法に関する。
【背景技術】
【０００２】
廃棄物を埋立処分するための最終処分場では、埋立処分された廃棄物から生じる浸出水が外部に漏洩するのを防止する措置を講ずる必要がある。かかる措置として、従来、コンクリートで構築した埋立用の区画の壁面に、遮水シートを用いて防水加工を施すことなどが行われている（例えば、特許文献１参照）。
【０００３】
特許文献１に開示された遮水側壁構造物の構築方法では、まず、側壁の外側ＲＣ壁を形成し、その最下部の内側に、上下方向に所定寸法毎に分割された側壁内遮水構造体の分割部分のうちの最も下の分割部分が接着され、その分割部分の上端縁を除く部分に対してコンクリートが打設される。これにより、側壁の内側ＲＣ壁（押えコンクリート）の最下部が形成される。その後、該最下部の上の残りの部分が形成される。
【０００４】
残りの部分を形成する際には、すでに形成された下側の分割部分の上側に隣接する分割部分を外側ＲＣ壁に接着し、かつ該下側の分割部分の上端縁と該上側の分割部分の下端縁を溶着して該上側の分割部分が追加される。そして、追加された分割部分に対し、該分割部分の上端縁を残してコンクリートが打設され、内側ＲＣ壁の該追加した分割部分に対応する部分が、その下側の内側ＲＣ壁の部分に一体化させて形成される。
【０００５】
このような分割部分毎の工程を、内側ＲＣ壁が外側ＲＣ壁の高さに達するまで繰り返すことにより遮水側壁構造物が構築される。
【先行技術文献】
【特許文献】
【０００６】
【特許文献１】特開２０１７−１０４８３７号公報
【発明の概要】
【発明が解決しようとする課題】
【０００７】
しかしながら、上記特許文献１の構築方法によれば、分割部分毎の工程で押えコンクリートを打設する際の型枠として、合板又は鋼板の面材を上下２点で固定したものが用いられる。この面材に負荷される側圧に抵抗して平面性を確保するためには、過大な補剛資材と、その取付及び撤去を行うための工程を要する。一方、これを回避するために、コンクリート打設時の締固めに際して側圧が増大しないように配慮すると、締固め不足により不良な部分が発生するおそれがある。
【０００８】
本発明の目的は、かかる従来技術の課題に鑑み、良質な押えコンクリートを簡便に形成できる遮水側壁構造物、底版・側壁構造物及び遮水側壁構築方法を提供することにある。
【課題を解決するための手段】
【０００９】
本発明の遮水側壁構造物は、
側壁躯体と、該側壁躯体の内面に張られた側壁遮水工層と、該側壁遮水工層を保護する押えコンクリートとを備える遮水側壁構造物であって、
前記押えコンクリートの前記側壁遮水工層と反対側を覆うようにして左右方向に複数列をなして配置された複数のプレキャストコンクリート板と、
前記プレキャストコンクリート板の各隣り合う列の間に配置されたＨ型鋼柱とを備え、
各Ｈ型鋼柱の一方のフランジ部は、前記押えコンクリートの内部に埋設され、他方のフランジ部の内面は、対応する前記プレキャストコンクリート板の左右方向の一方の端縁部における前記側壁遮水工層と反対側の面に当接していることを特徴とする。
【００１０】
本発明によれば、側壁躯体の内面に側壁遮水工層を張り、側壁躯体に沿って複数のＨ型鋼柱を立設し、各隣り合うＨ型鋼柱の間にプレキャストコンクリート板を配置し、側壁遮水工層とプレキャストコンクリート板との間にコンクリートを打設することにより、遮水側壁構造物を、良質な押えコンクリートを有するものとして、簡便に形成することができる。
【００１１】
本発明の底版・側壁構造物は、
廃棄物処分場の遮水工が施された底版及び側壁を構成する底版・側壁構造物であって、
前記底版の下側の鉄筋コンクリート部分である下側ＲＣ部分及び前記側壁の外側の鉄筋コンクリート部分である側壁躯体を一体的に構成する第１部分と、
前記底版の上側の鉄筋コンクリート部分である上側ＲＣ部分及び前記側壁の内側の押えコンクリートを一体的に構成する第２部分と、
前記下側ＲＣ部分と前記上側ＲＣ部分との間に設けられた底版遮水工層と、
前記側壁躯体と前記押えコンクリートとの間に設けられた側壁遮水工層とを備え、
前記押えコンクリートの前記側壁遮水工層と反対側の面には、該面を覆うようにして左右方向に複数列をなす複数のプレキャストコンクリート板が配置され、
前記プレキャストコンクリート板の各隣り合う列の間には、Ｈ型鋼柱が配置され、
各Ｈ型鋼柱の一方のフランジ部は、前記押えコンクリートの内部に埋設され、他方のフランジ部の内面は、対応する前記プレキャストコンクリート板の左右方向の一方の端縁部における前記側壁遮水工層と反対側の面に当接していることを特徴とする。
【００１２】
本発明によれば、側壁躯体の内面に側壁遮水工層を張り、側壁躯体に沿って複数のＨ型鋼柱を立設し、各隣り合うＨ型鋼柱の間にプレキャストコンクリート板を配置し、側壁遮水工層とプレキャストコンクリート板との間にコンクリートを打設することにより、底版・側壁構造物を、良質な押えコンクリートを有するものとして、簡便に形成することができる。
【００１３】
この場合、前記複数のＨ型鋼柱の下端部は、それぞれ、前記第２部分内に埋め込まれた定着板によって支持されて根巻きコンクリートで固定され、上端部は、前記側壁躯体に固定されるのが好ましい。
【００１４】
これによれば、Ｈ型鋼柱の下端部及び上端部を、側壁躯体と、上側ＲＣ部分及び下側ＲＣ部分とで確実に固定して支持し、側壁遮水工層とプレキャストコンクリート板との間へのコンクリートの打設を支障なく行うことができる。
【００１５】
本発明において、前記Ｈ型鋼柱の一方のフランジ部には、その前記側壁遮水工層側の面から前記押えコンクリート内に突出したシアコネクタが設けられるのが好ましい。これによれば、押えコンクリートとＨ型鋼柱との結合を強固にすることができる。
【００１６】
本発明の遮水側壁構築方法は、
側壁躯体と、該側壁躯体の内側に設けられた側壁遮水工層と、該側壁遮水工層を保護する押えコンクリートとを備える遮水側壁を構築する方法であって、
前記側壁躯体の内側に、上下方向に所定の寸法毎に分割された側壁遮水工層の分割部分のうちの１つを接着する分割部分接着工程と、
前記側壁躯体から所定距離離れた位置において該側壁躯体に沿って複数のＨ型鋼柱を、そのフランジ面が該側壁躯体に沿った姿勢で所定間隔で立設するＨ型鋼柱立設工程と、
前記押えコンクリート用の配筋を行う配筋工程と、
前記分割部分接着工程で接着された前記分割部分に対応する上下方向の寸法及び前記所定間隔に対応する左右方向の寸法を有するプレキャストコンクリート板を各隣り合う前記Ｈ型鋼柱の間の該分割部分に対応する上下位置に、該プレキャストコンクリート板の左右の端縁部の該分割部分と反対側の面が該Ｈ型鋼柱の該分割部分と反対側のフランジ部の内側の面に当接するようにして配置するプレキャスト配置工程と、
前記分割部分接着工程で接着された前記分割部分の上端縁を除く部分と、前記プレキャスト配置工程で配置された前記プレキャストコンクリート板との間にコンクリートを打設することにより、前記押えコンクリートの該分割部分に対応する部分を形成する押え部分形成工程と、
前記分割部分接着工程を前記側壁躯体の下部の内側に前記分割部分のうちの１つを接着することにより前記分割部分接着工程を行う分割部分接着初期工程と、
前記分割部分接着初期工程、前記Ｈ型鋼柱立設工程及び前記配筋工程の後、前記分割部分接着工程、前記プレキャスト配置工程及び前記押え部分形成工程を、前記押えコンクリートが所定の高さで形成されるまで繰り返すことを特徴とする。
【００１７】
本発明によれば、分割部分接着初期工程又は分割部分接着工程で接着される分割部分と、対応するプレキャストコンクリートとの間にコンクリートを打設することによって押えコンクリートの該分割部分に対応する部分が形成される。したがって、コンクリートを打設する際に過大な補剛資材やその取付及び撤去が必要なく、かつ打設するコンクリートの締め固めを、側圧の増大を気に掛けずに行うことができる。したがって、押えコンクリートを、良質のものとして、かつ簡便に形成することができる。
【図面の簡単な説明】
【００１８】
【図１】本発明の一実施形態に係る最終処分場の底版・側壁構造物の断面図である。
【図２】図１のII-II線断面図であり、側壁構造物の一部を示している。
【図３】図１の底版・側壁構造物のＨ型鋼柱の基端部を固定する根巻きコンクリート部分の配筋図である。
【図４】図３の根巻きコンクリート部分に埋設されてＨ型鋼柱の下端を支持する定着板を示す平面図である。
【図５】図１の底版・側壁構造物における側壁構造物の上端部の断面図である。
【図６】側壁躯体にＨ型鋼柱の上端部を固定したときの上方から見た様子を示す断面図である。
【図７】図１の底版・側壁構造物の角部においてプレキャストコンクリート板をＨ型鋼柱の間に配置する様子を示す図である。
【図８】図１の底版・側壁構造物を構築する手順を示すフローチャートである。
【発明を実施するための形態】
【００１９】
以下、図面を用いて本発明の実施形態を説明する。図１に示すように、実施形態の底版・側壁構造物１は、廃棄物の最終処分場において、遮水工が施された底版２と、遮水側壁構造物としての側壁３とを構成するものである。
【００２０】
底版・側壁構造物１は、第１部分４と、第２部分５とを備える。第１部分４は、底版２の下側の鉄筋コンクリート部分である下側ＲＣ部分６及び側壁３の外側の鉄筋コンクリート部分である側壁躯体７を一体的に構成する。第２部分５は、底版２の上側の鉄筋コンクリート部分である上側ＲＣ部分８及び側壁３の内側の側壁押えコンクリート９を一体的に構成する。
【００２１】
下側ＲＣ部分６は、地盤改良層１０の上に打設された基盤コンクリート１１の上に設けられる。下側ＲＣ部分６と基盤コンクリート１１との間の適宜の位置において、下側ＲＣ部分６の下面により閉塞された凹溝１２が形成される。凹溝１２内には、集水用の有孔管１３が単粒砕石を用いて埋設される。有孔管１３は、最終処分場に投入される廃棄物からの浸出水等の排出や検出に供せられる。
【００２２】
底版２の下側ＲＣ部分６と上側ＲＣ部分８との間には、底版遮水工層１４が設けられる。側壁３の側壁躯体７と、その内側の側壁押えコンクリート９との間には、側壁遮水工層１５が設けられる。上側ＲＣ部分８及び側壁押えコンクリート９は、それぞれ底版遮水工層１４及び側壁遮水工層１５を保護する押えコンクリートとして機能する。側壁躯体７の外面及び側壁押えコンクリート９の内面には、軟質のＦＲＰ防水１６が施される。ＦＲＰ防水１６の上には、セメント系不燃材料仕上げが施される。
【００２３】
底版遮水工層１４は、２層の遮水シートを３層の保護マットの間に挟んで保護しながら良好な遮水性を達成するように構成され、その上側には軟質のＦＲＰ防水が施される。各保護マットの厚さは、例えば２０ｍｍである。
【００２４】
側壁遮水工層１５も同様に、２層の遮水シートを３層の保護マットの間に挟んで保護しながら良好な遮水性を達成するように構成され、その側壁押えコンクリート９側には、軟質のＦＲＰ防水が施される。各保護マットの厚さは、例えば１０ｍｍである。側壁遮水工層１５は、上下方向に１ｍ程度の高さ毎に分割されており、その分割された個々の分割部分を接着することにより構成される。
【００２５】
図１及び図２に示すように、側壁押えコンクリート９の側壁遮水工層１５と反対側の面には、該面を覆うようにして左右方向に複数列をなす複数のプレキャストコンクリート板１７が配置される。プレキャストコンクリート板１７の厚さは例えば１００ｍｍであり、プレキャストコンクリート板１７の配筋は、例えば、タテヨコＤ１０−＠２００である。上下に隣接するプレキャストコンクリート板１７の間には、ブチルゴム系両面テープによる目地が設けられる。
【００２６】
プレキャストコンクリート板１７の各隣り合う列の間には、Ｈ型鋼柱１８が配置される。Ｈ型鋼柱１８としては、例えば、Ｈ−２００×２００×８×１２の寸法を有し、溶融亜鉛メッキを施したものを採用することができる。側壁押えコンクリート９内には、エポキシ樹脂を塗装した例えばＤ１３−＠２００Ｗの壁補強配筋１９が配置される。各壁補強配筋１９の交差部分は、樹脂製結束バンドにより結束される。側壁押えコンクリート９は、繊維補強コンクリートを１０００ｍｍ毎の高さで打設することにより形成される。
【００２７】
各Ｈ型鋼柱１８の一方のフランジ部２０は、側壁押えコンクリート９の内部に埋設され、他方のフランジ部２１の内面は、対応するプレキャストコンクリート板１７の左右方向の一方の端縁部における側壁遮水工層１５と反対側の面に当接している。
【００２８】
各Ｈ型鋼柱１８の下端部は、第２部分５内に図１、図３のようにして埋め込まれた図４のような定着板２２によって支持されて根巻きコンクリート２３で固定される。一方、各Ｈ型鋼柱１８の上端部は、図５、図６のように、側壁押えコンクリート９内に埋設される補強プレート２４を有するガセットプレート２５と、ベースプレート２６とを介して側壁躯体７に固定される。
【００２９】
Ｈ型鋼柱１８の一方のフランジ部２０には、その側壁遮水工層１５側の面から側壁押えコンクリート９内に突出したシアコネクタ２７が設けられる。
【００３０】
側壁押えコンクリート９の角部では、図７に示すように、角のＨ型鋼柱１８の他方のフランジ部２１の外面に２つの山形鋼２８が、断面で見てＵ字状を形成するように固定される。これにより、角部においても、直角をなして隣接するプレキャストコンクリート板１７を支障なく支持できるようにしている。
【００３１】
図５に示すように、側壁３の上端は、Ｈ型鋼柱１８の上端よりも高くなっている。この高くなっている部分２９は、側壁押えコンクリート９がＨ型鋼柱１８の上端面の上において、Ｈ型鋼柱１８の他方のフランジ部２１の外面とほぼ一平面を形成するように張り出している。また、この高くなっている部分２９において、側壁躯体７から側壁押えコンクリート９にかけて、補強用の配筋３０が設けられている。
【００３２】
側壁躯体７及び側壁押えコンクリート９で構成される側壁３の上端面には、最終処分場の屋根構造体３１及びキャットウォーク３２が設けられる。
【００３３】
底版２の上側ＲＣ部分８の上面全体には、ベントナイト混合土３３が３００ｍｍ程度の厚さで敷き詰められ、浸出水に対するより高度な遮水性が確保される。また、ベントナイト混合土３３の上には、粉状の砕石が混ぜられたダスト混じり砕石３４が２００ｍｍ程度の厚さで敷き詰められる。
【００３４】
底版・側壁構造物１は、図８のフローチャートで示される手順に従って構築することができる。すなわち、まず、ステップＳ１において、底版２の下側ＲＣ部分６及び側壁３の側壁躯体７を鉄筋コンクリートで一体的に形成する。
【００３５】
なお、側壁躯体７は、側壁遮水工層１５の分割部分の上下方向の寸法に対応させて、分割部分の設置毎に打ち継を行いながら形成してもよい。この場合、打ち継部分に遮水板を設けて、側壁躯体７における高い遮水機能を維持することができる。
【００３６】
次に、ステップＳ２において、下側ＲＣ部分６の上側に底版遮水工層１４を配置する。次に、ステップＳ３において、側壁躯体７の最下部の内側に、上下方向に所定の寸法毎に分割された側壁遮水工層１５の最も下の分割部分を接着する（分割部分接着初期工程）。この接着には、両面テープを用いることができる。該分割部分には、根巻きコンクリート２３に接する部分及びその上の部分が含まれる。
【００３７】
このとき、該分割部分の上下方向の寸法には余裕を持たせてあり、該分割部分の下端縁は、折り返されるか、又は底版遮水工層１４の端縁部分の上又は下に重ねて配置される。なお、後述の分割部分同士の接合の場合のように、底版遮水工層１４及び分割部分を構成する各層毎に溶着し、底版遮水工層１４と分割部分とを接合するようにしてもよい。
【００３８】
次に、ステップＳ４において、側壁躯体７から、側壁押えコンクリート９の厚さを考慮した所定距離離れた位置において側壁躯体７に沿って複数のＨ型鋼柱１８を、そのフランジ面が側壁躯体７に沿った姿勢で所定間隔Ｄ、例えば１５００ｍｍ間隔で立設する（Ｈ型鋼柱立設工程）。
【００３９】
この立設は、下側ＲＣ部分６上で、図３、図４のように、定着板２２でＨ型鋼柱１８の基端部を支持するとともに、Ｈ型鋼柱１８の上端部を、図６のように、側壁躯体７に固定することにより行われる。
【００４０】
次に、ステップＳ５において、上側ＲＣ部分８及び側壁押えコンクリート９についての配筋を行う（配筋工程）。この配筋には、図３で示されるような根巻きコンクリート２３部分の配筋及び該部分を包含する梁部３６の配筋が含まれる。そして、この配筋は、上側ＲＣ部分８及び側壁押えコンクリート９を一体的に形成するのに適したものとされる。なお、側壁押えコンクリート９及び側壁躯体７の上端部の部分２９の配筋は、図５のように、これらの上端部を強固に結合し得るように、双方の上端部に跨るようにして行われる。
【００４１】
次に、ステップＳ６において、ステップＳ３で接着された分割部分における根巻きコンクリート２３に接する部分の上の部分に対応する上下方向の寸法及びＨ型鋼柱１８の所定間隔Ｄに対応する左右方向の寸法を有するプレキャストコンクリート板１７を、各隣り合うＨ型鋼柱１８の間の該分割部分の上の部分に対応する上下位置に配置する（プレキャスト配置工程）。
【００４２】
この配置は、プレキャストコンクリート板１７の左右の端縁部の該分割部分と反対側の面がＨ型鋼柱１８の該分割部分と反対側のフランジ部２１の内側の面に当接するようにして行われる（図７参照）。
【００４３】
このように配置するために、図２に示すように、Ｈ型鋼柱１８の該分割部分側のフランジ部２０における内側の面とこれに対向するプレキャストコンクリート板１７の面との間に樹脂製キャンバー３５が配置される。すなわち、プレキャストコンクリート板１７は、樹脂製キャンバー３５により、Ｈ型鋼柱１８に固定される。
【００４４】
次に、ステップＳ７において、ステップＳ３で接着された分割部分の上端縁を除く部分と、ステップＳ６で配置されたプレキャストコンクリート板１７との間にコンクリートを打設する（押え部分形成工程）。また、これと同時に、梁部３６の配筋部分と、底版遮水工層１４の上にもコンクリートを打設する。
【００４５】
これにより、底版２の上側ＲＣ部分８と、側壁３の側壁押えコンクリート９の最も下の部分であって側壁遮水工層１５の最も下の分割部分に対応する部分とが形成される。この部分には、梁部３６が含まれる。
【００４６】
なお、この最も下の分割部分を、梁部３６に接する部分と、その上の部分とにさらに分割し、梁部３６及び上側ＲＣ部分８をまず形成した後で、該上の部分に対応する側壁押えコンクリート９の部分を形成するようにしてもよい（押え部分形成工程）。その場合、該上の部分及び該上の部分に対応する側壁押えコンクリート９の部分を形成する工程が分割部分接着初期工程とみなされる。
【００４７】
次に、側壁遮水工層１５の最も下の分割部分よりも上の残りの部分及び側壁押えコンクリート９の最も下の部分よりも上の残りの部分を形成する（残部形成工程）。
【００４８】
すなわち、まず、ステップＳ８において、側壁遮水工層１５の前回形成された下側の分割部分の上側に隣接する分割部分を側壁躯体７に接着し、かつ該下側の分割部分の上端縁と該上側の分割部分の下端縁を溶着することにより、該上側の分割部分を追加する（分割部分接着工程）。
【００４９】
このときの溶着しろにおける溶着は、分割部分を構成する遮水シート及び保護マットの各層毎に行われる。このとき、各層は、上側の分割部分の層が下側の分割部分の層の場内側（最終処分場における廃棄物が貯蔵される空間の側）に位置するように配置される。
【００５０】
次に、ステップＳ９において、追加された分割部分に対応するプレキャストコンクリート板１７を各隣り合うＨ型鋼柱１８の間に配置する（プレキャスト配置工程）。この配置は、ステップＳ６の場合と同様にして、プレキャストコンクリート板１７の左右の端縁部の分割部分と反対側の面がＨ型鋼柱１８の該分割部分と反対側のフランジ部２１の内側の面に当接するように行われる。
【００５１】
次に、ステップＳ１０において、ステップＳ８で追加した分割部分とステップＳ９で追加したプレキャストコンクリート板１７との間に、該分割部分の上端縁を残してコンクリートを打設する（押え部分形成工程）。これにより、側壁押えコンクリート９の該追加した分割部分に対応する部分が、該前回形成した側壁押えコンクリート９の部分に対して一体化して形成される。
【００５２】
そして、ステップＳ８〜Ｓ１０を、ステップＳ１１において、側壁押えコンクリート９が、側壁躯体７の高さに達したと判定されるまで繰り返す（残部形成工程）。
【００５３】
その後、ステップＳ１２において、側壁押えコンクリート９の上端の部分２９をコンクリートの打設によって形成することにより、底版・側壁構造物１の構築が完了する。
【００５４】
なお、上記のように繊維補強コンクリートを１０００ｍｍ毎に打設することにより側壁押えコンクリート９を形成するようにした理由は次の点にある。すなわち、打設した下側のコンクリートの強度が発現し、これに対するＨ型鋼柱１８の固定強度が確実になってから、その上側のコンクリートを打設することにより、Ｈ型鋼柱１８の（水平方向の）たわみ量を最小に留めることができる。そして、これを繰り返すことにより、側壁押えコンクリート９全体のはらみを抑制することができる。
【００５５】
また、プレキャストコンクリート板１７を使用する理由は次の点にある。すなわち、現場打ちされる繊維補強コンクリートとプレキャストコンクリート板１７は完全一体とはならない。これは、現場打ちコンクリートのヘアークラック等が表層に影響を与えないという効果を奏する。これにより、側壁躯体７、側壁遮水工層１５、現場打ちコンクリート（側壁押えコンクリート９）、プレキャストコンクリート板１７の各層の挙動の違い（温度変化、地震力など）が各層間である程度吸収され、側壁構造物の破損のリスクを低減することができる。また、プレキャストコンクリート板１７の破損等が生じた場合には、その最小ユニット（１．５ｍ×１．０ｍ）の交換、あるいは補修で対応することができる。
【００５６】
以上、本発明の実施形態を説明したが、本発明はこれに限定されない。例えば、図８におけるステップＳ３〜Ｓ５は、順序を入れ替えて行ってもよい。また、本発明は、水銀含有廃棄物のように高度な防水・遮水性及び強靭な埋立領域が要求される廃棄物の処分場であれば、水銀含有廃棄物以外の廃棄物、例えば放射性廃棄物の処分場にも好ましく適用することができる。また、廃棄物の最終処分に限らず、放射性廃棄物等の処分の場合には、中間処分場にも適用することができる。
【符号の説明】
【００５７】
１…底版・側壁構造物、２…底版、３…側壁、４…第１部分、５…第２部分、６…下側ＲＣ部分、７…側壁躯体、８…上側ＲＣ部分、９…側壁押えコンクリート、１０…地盤改良層、１１…基盤コンクリート、１２…凹溝、１３…有孔管、１４…底版遮水工層、１５…側壁遮水工層、１６…ＦＲＰ防水、１７…プレキャストコンクリート板、１８…Ｈ型鋼柱、１９…壁補強配筋、２０…フランジ部、２１…フランジ部、２２…定着板、２３…根巻きコンクリート、２４…補強プレート、２５…ガセットプレート、２６…ベースプレート、２７…シアコネクタ、２８…山形鋼、２９…高くなっている部分、３０…配筋、３１…屋根構造体、３２…キャットウォーク、３３…ベントナイト混合土、３４…ダスト混じり砕石、３５…樹脂製キャンバー、３６…梁部。
【図１】
2020195980.tif 000003
【図２】
2020195980.tif 000004
【図３】
2020195980.tif 000005
【図４】
2020195980.tif 000006
【図５】
2020195980.tif 000007
【図６】
2020195980.tif 000008
【図７】
2020195980.tif 000009
【図８】
2020195980.tif 000010
【手続補正書】
【提出日】令和1年11月22日(2019.11.22)
【手続補正１】
【補正対象書類名】特許請求の範囲
【補正対象項目名】請求項５
【補正方法】変更
【補正の内容】
【請求項５】
側壁躯体と、該側壁躯体の内側に設けられた側壁遮水工層と、該側壁遮水工層を保護する押えコンクリートとを備える遮水側壁を構築する方法であって、
前記側壁躯体の内側に、上下方向に所定の寸法毎に分割された側壁遮水工層の分割部分のうちの１つを接着する分割部分接着工程と、
前記側壁躯体から所定距離離れた位置において該側壁躯体に沿って複数のＨ型鋼柱を、そのフランジ面が該側壁躯体に沿った姿勢で所定間隔で立設するＨ型鋼柱立設工程と、
前記押えコンクリート用の配筋を行う配筋工程と、
前記分割部分接着工程で接着された前記分割部分に対応する上下方向の寸法及び前記所定間隔に対応する左右方向の寸法を有するプレキャストコンクリート板を各隣り合う前記Ｈ型鋼柱の間の該分割部分に対応する上下位置に、該プレキャストコンクリート板の左右の端縁部の該分割部分と反対側の面が該Ｈ型鋼柱の該分割部分と反対側のフランジ部の内側の面に当接するようにして配置するプレキャスト配置工程と、
前記分割部分接着工程で接着された前記分割部分の上端縁を除く部分と、前記プレキャスト配置工程で配置された前記プレキャストコンクリート板との間にコンクリートを打設することにより、前記押えコンクリートの該分割部分に対応する部分を形成する押え部分形成工程と、
前記分割部分接着工程を前記側壁躯体の下部の内側に前記分割部分のうちの１つを接着することにより行う分割部分接着初期工程と、
前記分割部分接着初期工程、前記Ｈ型鋼柱立設工程、前記配筋工程、前記プレキャスト配置工程及び前記押え部分形成工程を行った後、前記分割部分接着初期工程で接着した分割部分以外の分割部分についての前記分割部分接着工程、該プレキャスト配置工程及び該押え部分形成工程を、前記押えコンクリートが所定の高さで形成されるまで繰り返すことを特徴とする遮水側壁構築方法。
【手続補正２】
【補正対象書類名】明細書
【補正対象項目名】００１６
【補正方法】変更
【補正の内容】
【００１６】
本発明の遮水側壁構築方法は、
側壁躯体と、該側壁躯体の内側に設けられた側壁遮水工層と、該側壁遮水工層を保護する押えコンクリートとを備える遮水側壁を構築する方法であって、
前記側壁躯体の内側に、上下方向に所定の寸法毎に分割された側壁遮水工層の分割部分のうちの１つを接着する分割部分接着工程と、
前記側壁躯体から所定距離離れた位置において該側壁躯体に沿って複数のＨ型鋼柱を、そのフランジ面が該側壁躯体に沿った姿勢で所定間隔で立設するＨ型鋼柱立設工程と、
前記押えコンクリート用の配筋を行う配筋工程と、
前記分割部分接着工程で接着された前記分割部分に対応する上下方向の寸法及び前記所定間隔に対応する左右方向の寸法を有するプレキャストコンクリート板を各隣り合う前記Ｈ型鋼柱の間の該分割部分に対応する上下位置に、該プレキャストコンクリート板の左右の端縁部の該分割部分と反対側の面が該Ｈ型鋼柱の該分割部分と反対側のフランジ部の内側の面に当接するようにして配置するプレキャスト配置工程と、
前記分割部分接着工程で接着された前記分割部分の上端縁を除く部分と、前記プレキャスト配置工程で配置された前記プレキャストコンクリート板との間にコンクリートを打設することにより、前記押えコンクリートの該分割部分に対応する部分を形成する押え部分形成工程と、
前記分割部分接着工程を前記側壁躯体の下部の内側に前記分割部分のうちの１つを接着することにより行う分割部分接着初期工程と、
前記分割部分接着初期工程、前記Ｈ型鋼柱立設工程、前記配筋工程、前記プレキャスト配置工程及び前記押え部分形成工程を行った後、前記分割部分接着初期工程で接着した分割部分以外の分割部分についての前記分割部分接着工程、該プレキャスト配置工程及び該押え部分形成工程を、前記押えコンクリートが所定の高さで形成されるまで繰り返すことを特徴とする。